(57)【要約】【課題】  部品点数および組立て工数を増やすことなく下側磁気ヘッドを保護すること。【解決手段】  フレキシブルディスク（４０）の挿入に伴ってシャッタ（４３）の角部（４３ｂ）に係合するディスクシャッタアーム（２６Ａ）を持ち、回動することによりシャッタを開く方向に駆動するシャッタ駆動機構は、フレキシブルディスクを保持するディスクホルダ（２２Ａ）上に回動自在に取り付けられている。ディスクシャッタアームの先端近傍にアームと一体に形成された樹脂製のストッパ（２６２Ａ−３）は、フレキシブルディスクの挿入・排出時に下側磁気ヘッド（１４ｂ）との衝突を回避するように、フレキシブルディスクをその裏面から支える。ストッパ（２６２Ａ−３）は、その先端に上方へ突出した突起部（２６２Ａ−３ａ）を持ち、フレキシブルディスク（４０）を線接触で支える。【選択図】      図１６
2006040434.tif 000002
【特許請求の範囲】
【請求項１】
上側磁気ヘッド及び下側磁気ヘッドと対向する部分にスライド可能なシャッタを備えたフレキシブルディスクが挿入されるフレキシブルディスクドライブであって、前記フレキシブルディスクの挿入に伴って前記シャッタの角部に係合するアームを持ち、回動することにより前記シャッタを開く方向に駆動するシャッタ駆動機構を備えたフレキシブルディスクドライブにおいて、
前記シャッタ駆動機構は前記フレキシブルディスクを保持するディスクホルダ上に回動自在に取り付けられており、
前記アームの先端近傍に前記アームと一体に形成されたストッパであって、前記フレキシブルディスクの挿入・排出時に前記下側磁気ヘッドとの衝突を回避するように、前記フレキシブルディスクをその裏面から支える前記ストッパを備えたことを特徴とするフレキシブルディスクドライブ。
【請求項２】
前記ストッパが樹脂製である、請求項１に記載のフレキシブルディスクドライブ。
【請求項３】
前記ストッパは、その先端に上方へ突出した突起部を持ち、前記フレキシブルディスクを線接触で支えることを特徴とする、請求項１に記載のフレキシブルディスクドライブ。
【請求項４】
前記アームが前記フレキシブルディスクを前記フレキシブルディスクドライブからイジェクトするためのイジェクトレバーとしても働く、請求項１に記載のフレキシブルディスクドライブ。
【発明の詳細な説明】
【技術分野】
【０００１】
本発明は、フレキシブルディスクへの情報の記録、及び情報の読み取りに用いられる薄型のフレキシブルディスクドライブに関する。
【背景技術】
【０００２】
周知のように、フレキシブルディスクドライブ（以下、「ＦＤＤ」とも略称する）は、それに挿入されたフレキシブルディスク（以下、「ＦＤ」とも略称する）の円板状磁気記録媒体に対してデータの記録再生を行うための装置である。そして、このようなフレキシブルディスクドライブは、ラップトップ・パーソナルコンピュータやノート型パーソナルコンピュータ等の携帯型電子機器に搭載される。
【０００３】
この種のフレキシブルディスクドライブは、フレキシブルディスクの磁気記録媒体に対してデータの読出し／書込みを行う磁気ヘッドと、この磁気ヘッドをフレキシブルディスクに対して所定の半径方向に沿って移動可能に先端で支持するキャリッジアセンブリと、このキャリッジアセンブリを上記所定の半径方向に沿って移動させるステッピングモータと、フレキシブルディスクを保持しつつ磁気記録媒体を回転駆動するダイレクトドライブ（ＤＤ）モータとを有している。尚、ＤＤモータとしては、一般にスピンドルモータが使用される。
【０００４】
近年、上記携帯型電子機器の薄型化に伴って、それに内蔵或いは搭載されるフレキシブルディスクドライブの薄型化も進められている。このフレキシブルディスクドライブに対する薄型化と共に、さらに、奥行き方向の寸法に対しても縮小化することが望まれている。このようなフレキシブルディスクドライブに薄型化及び小型化（縮小化）を達成するためには、フレキシブルディスクドライブを構成する部品に対して種々の規制（制約）が課せられることになる。換言すれば、省スペース（薄型化）で拘束が多くなるので、設計的マージンが少なくなる方向（傾向）にある。
【０００５】
薄型フレキシブルディスクドライブにおいては、一般に、イジェクトシャッタアームとイジェクトレバーとを別部品として構成しているが、イジェクトレバーの誤動作を防止するようにしたものが知られている（例えば、特許文献１参照）。
【０００６】
以下、図１乃至図３を参照して、特許文献１に開示されている先行技術における薄型フレキシブルディスクドライブについて説明する。図示の薄型フレキシブルディスクドライブは、後述する３．５インチ型フレキシブルディスクを駆動するための３．５インチ型フレキシブルディスクドライブである。図１はフレキシブルディスクが挿入されていない状態を示す平面図である。図２はフレキシブルディスクが挿入途中の状態を示す平面図である。図３はフレキシブルディスクが完全に収容された状態を示す平面図である。なお、図１乃至図３のいずれも、図示しない上カバーを取り外した状態を示している。
【０００７】
フレキシブルディスク４０は、図１乃至図３の矢印Ａに示す方向からフレキシブルディスクドライブ中に挿入される。挿入されたフレキシブルディスク４０は、ディスクテーブル１１上に、その回転軸１１ａとフレキシブルディスク４０の中心軸とが一致した状態で保持される。ディスクテーブル１１は、メインフレーム１３に取付けられたモータフレーム（図示せず）の表面上で回転自在に支持されている。従って、ディスクテーブル１１の回転軸１１ａの軸方向（紙面と垂直な方向）は、メインフレーム１３の厚み方向と平行に成っている。
【０００８】
さらに、ディスクテーブル１１は、モータフレーム上に設けられたスピンドルモータ３５によって回転駆動され、これによってフレキシブルディスク４０の磁気記録媒体が回転する。また、メインフレーム１３およびモータフレームの表面には、多数の電子部品が搭載されたメイン基板３０が取り付けられている。
【０００９】
フレキシブルディスクドライブは、フレキシブルディスク４０内の磁気記録媒体に対してデータの読出し／書込みを行うための上下一対の磁気ヘッド１４（上側磁気ヘッドのみを図示する）を備えている。磁気ヘッド１４は、フレキシブルディスクドライブの背面側に設けられたキャリッジアセンブリ１５にその先端で支持されている。すなわち、キャリッジアセンブリ１５は、上側磁気ヘッド１４を支持する上側キャリッジと、下側磁気ヘッドを支持する下側キャリッジとを有する。キャリッジアセンブリ１５は、メインフレーム１３の表面上で後述するようにメインフレーム１３から離隔して配置されており、磁気ヘッド１４をその先端でフレキシブルディスクに対して所定の半径方向（図１乃至図３の矢印Ｂで示す方向）に沿って移動可能に支持している。
【００１０】
また、メインフレーム１３の後壁１３１には、ステッピングモータ１６が固定されている。ステッピングモータ１６はキャリッジアセンブリ１５を所定の半径方向Ｂに沿ってリニアに駆動する。詳細に説明すると、ステッピングモータ１６は所定の半径方向Ｂと平行に延在する回転軸（駆動軸）１６１を有し、この回転軸１６１には雄ネジが切られている。回転軸１６１の先端は、メインフレーム１３の表面に取付けられた台座部１３２に空けられた穴を貫通している。とにかく、ステッピングモータ１６の回転軸１６１は所定の半径方向Ｂと平行に延在するように規制され、かつその先端は回転可能に保持される。
【００１１】
一方、キャリッジアセンブリ１５は、下側キャリッジから回転軸１６１まで延在したアーム１５１を有している。このアーム１５１の先端は、回転軸１６１の雄ネジの谷の部分に係合する。従って、ステッピングモータ１６の回転軸１６１が回転すると、このアーム１５１の先端が回転軸１６１の雄ネジの谷部分に沿って動かされ、これによってキャリッジアセンブリ１５自体が所定の半径方向Ｂに沿って移動する。とにかく、ステッピングモータ１６はキャリッジアセンブリ１５を所定の半径方向Ｂに沿ってリニアに移動させるための駆動手段として働く。
【００１２】
ステッピングモータ１６の回転軸１６１はキャリッジアセンブリ１５の一方の側に設けられているので、キャリッジアセンブリ１５の一方の側は、この回転軸１６１によってメインフレーム１１３から離隔した状態で、移動可能に支持される。
【００１３】
しかしながら、この回転軸１６１による支持だけでは、キャリッジアセンブリ１５全体をメインフレ−ム１３の表面から離隔して配置することはできない。そのため、ガイドバー（図示せず）によって、キャリッジアセンブリ１５の他方の側でキャリッジアセンブリ１５を支持しながら案内する。すなわち、ガイドバーはキャリッジアセンブリ１５を間に挟んで、ステッピングモータ１６の回転軸１６１とは逆側に設けられている。ガイドバーは、所定の半径方向Ｂに対して平行に延在し、メインフレーム１３の表面上で一端および他端が固定され、キャリッジアセンブリ１５を所定の半径方向Ｂに沿って案内する。これによって、キャリッジアセンブリ１５全体がメインフレーム１３の表面から離隔して配置される。
【００１４】
なお、キャリッジアセンブリ１５からこのガイドバー側へフレキシブル・プリンテッド・サーキット（ＦＰＣ）（図示せず）が延在しており、このＦＰＣはメインフレーム１３の表面上に取り付けられた基板３０に電気的に接続される。
【００１５】
キャリッジアセンブリ１５の下側キャリッジは、キャリッジアセンブリ１５をガイドバーに沿って摺動可能に支持する支持枠としても働く。下側キャリッジはガイドバー側へ突出した突出部（図示せず）を有し、この突出部中にガイドバーが摺動可能に嵌入されている。
【００１６】
さらに、フレキシブルディスククドライブは、イジェクトプレート２１とディスクホルダ２２とを有する。メインフレーム１３、イジェクトプレート２１、及びディスクホルダ２２は、金属板に打抜き加工、プレス加工、曲げ加工等を施すことにより形成される。イジェクトプレート２１は、フレキシブルディスク４０の挿入方向Ａおよびその逆方向（すなわち、前後方向）に沿って摺動自在なように、メインフレーム１３上に備えられている。
【００１７】
図４を参照して、ディスクホルダ２２について説明する。ディスクホルダ２２は、イジェクトプレート２１の下に配置されている。ディスクホルダ２２は、主表面２２０と、この主表面２２０の両側端で互いに対向した一対の側板２２１とを有する。両側板２２１の各々には、一対のピン２２２および２２３が設けられている。このピン２２２および２２３は、イジェクトプレート２１の側板（図示せず）に形成された案内溝（図示せず）内に挿通される。
【００１８】
また、ディスクホルダ２２は、その挿入方向Ａの奥側中央部に、かつキャリッジアンセンブリ１５の上側キャリッジと対応する位置に、所定の半径方向Ｂに延在した略矩形状の開口部２２４が設けられている。この開口部２２４を囲むように、その周囲にディスクホルダ２２の主表面２２０から上方に盛り上がった、略Ｕ字形状の盛り上がり縁２２５が形成されている。
【００１９】
一方、キャリッジアンセンブリ１５は、側方に延びる一対の側方アーム１５３（図１乃至図３参照）を備え、この側方アーム１５３は盛り上がり縁２２５の上に位置する。後述するように、フレキシブルディスク４０がディスクホルダ２２からイジェクトされた状態では、この側方アーム１５３が盛り上がり縁２２５と係合し、これによって上下一対の磁気ヘッド１４が互いに離される。さらに、ディスクホルダ２２は、その挿入方向Ａの奥側で開口部２２４から右よりに、後述するディスクシャッタアーム２６のレバー部の回動を許すような形状の開口部２２６も有している。
【００２０】
図１乃至図３に示されるように、メインフレーム１３の上面は、サブフレーム２３で覆われている。サブフレーム２３はイジェクトベースとも呼ばれる。このサブフレーム２３はその四隅でネジ２３１によってメインフレーム１３に固定されている。このサブフレーム２３とイジェクトプレート２１との間には、イジェクトバネ２４が架設されている。メインフレーム１３上には、ヘッドアセンブリ１５の近傍に、イジェクトレバー２５が回動自在に設けられている。
【００２１】
図５にイジェクトレバー２５の構造を示す。図５において、（Ａ）は平面図、（Ｂ）は右側面図、（Ｃ）は背面図である。メインフレーム１３には、その表面上の右側前方の所定箇所から上方に延びるロッド状ピン（図示せず）が立設している。イジェクトレバー２５は、ロッド状ピンが嵌め込まれる筒状部２５０と、この筒状部２５０から径方向に延在するアーム部（レバー部）２５１と、このアーム部２５１に設けた上方に延在する突起部２５２と、アーム部２５１の自由端側から周方向に延びる円弧状の係止部２５３とを有している。イジェクトレバー２５には、筒状部２５０の周りにイジェクトレバーバネ（図示せず）が装着され、このイジェクトレバーバネは、イジェクトレバー２５を図面上、反時計回りに付勢している。
【００２２】
イジェクトレバー２５の突起部２５２は、後述するフレキシブルディスク４０の前縁と係合して、イジェクトプレート１２１の前後方向の摺動動作を制御する。
【００２３】
イジェクトレバー２５は、更に、アーム部２５１と平行にスピンドルモータの側へ延在する舌部２５４を有する。舌部２５４の先端部２５４ａは盛り上がっている。この先端部２５４ａは、フレキシブルディスク４０が本フレキシブルディスクドライブに挿入される際に、ディスクカートリッジ４０が下側磁気ヘッドに衝突するのを回避するためのものである。
【００２４】
また、イジェクトレバー２５の突起部２５２は、さらに上方に突出した突起２５２ａを持ち、これは、後述するディスクシャッタアーム２６のフック部２６１ａと係合する。
【００２５】
イジェクトレバー２５は、さらに、ストッパ部２５５を有する。このストッパ部２５５は、フレキシブルディスク４０が薄型フレキシブルディスクドライブ内に完全に収容されたときに、後述するディスクシャッタアーム２６と係合して、ディスクシャッタアーム２６が初期位置に復帰するのを防止するためものである。
【００２６】
図４に戻って、ディスクホルダ２２の右上角部には、ディスクシャッタアーム２６がアームピン２６０の回りに回動自在に取付けられている。ディスクシャッタアーム２６は、右上角部から径方向に延在するアーム部（レバー部）２６１と、このアーム部２６１の先端部に設けた下方に延在するアームブッシュ２６２とを有している。
【００２７】
アーム部２６１は、上記イジェクトレバー２５の突起２５２ａと係合するフック部２６１ａを持つ。図４に示されるように、アームブッシュ２６２は、ディスクホルダ２２の開口部２２６に遊嵌されている。また、このアームブッシュ２６２の先端部２６２ａは、後述するフレキシブルディスク４０のシャッタの右側上端縁と係合して、シャッタの開閉を制御する。アームブッシュ２６２は、さらに、突出部２６２ｂを持ち、この突出部２６２ｂは、フレキシブルディスク４０がディスクドライブ中に完全に収容されたときに、前述したイジェクトレバー２５のストッパ部２５５と係合する。
【００２８】
図４に示されるように、ディスクシャッタアーム２６は、シャッタアームバネ２６３によって反時計回りに付勢されている。すなわち、シャッタアームバネ２６３は、ディスクシャッタアーム２６のアーム部２６１とディスクホルダ２２との間に架設されている。ディスクホルダ２２の盛り上がり縁２２５には、フレキシブルディスク４０が挿入されるときに上側磁気ヘッド１４に当らないように上側磁気ヘッド１４を保護するために上側磁気ヘッドガード３２が取付けられている。
【００２９】
また、ディスクホルダ２２の主表面２２０の右側には、逆方向挿入防止用バネ３４が取付けられている。ディスクホルダ２２とディスクシャッタアーム２６とアームピン２６０と上側磁気ヘッドガード３２と逆方向挿入防止用バネ３４とディスクシャッタアーム２６との組合せは、ディスクホルダアセンブリを構成する。
【００３０】
図１乃至図３に戻って、メインフレーム１３の前端部には、フロントパネル２７が取り付けられている。フロントパネル２７は、フレキシブルディスク４０を出し入れする開口（図示せず）と、この開口を開閉する扉（図示せず）とを備えている。このフロントパネル２７には、イジェクトボタン２８が前後方向移動可能に突設されている。イジェクトボタン２８は、イジェクトプレート２１の前端で前方に突き出ている突起部（図示せず）に嵌め込まれている。
【００３１】
図６を参照して、図１乃至図３に示されたフレキシブルディスクドライブ（ＦＤＤ）によって駆動されるフレキシブルディスク（ＦＤ）４０について説明する。図示のフレキシブルディスク４０は、円板状の磁気記録媒体４１と、この磁気記録媒体４１を覆うシェル４２と、矢印Ｃ方向に摺動可能なシャッタ４３とを有する。
【００３２】
シャッタ４３にはシャッタ窓４３ａが空けられている。シャッタ４３は矢印Ｃ方向とは逆方向に図示しないバネ部材によって付勢されている。シェル４２は、上記フレキシブルディスクドライブの磁気ヘッド１４での磁気記録媒体４１のアクセスを可能とする開口部４２ａを有する。この開口部４２ａは、フレキシブルディスク４０がフレキシブルディスクドライブ内に挿入されていない状態では、図６に示すように、シャッタ４３で覆われている。フレキシブルディスク４０がフレキシブルディスクドライブ内に挿入されるとき、シャッタ４３の右側縁上端４３ｂにディスクシャッタアーム２６のアームブッシュ２６２の先端部２６２ａが係合して、シャッタ４３を矢印Ｃ方向へ摺動する。
【００３３】
シェル４２は、右上角部に、逆方向（表裏及び挿入方向を逆にして挿入）防止用の面取り部４２ｂが形成されている。また、シェル４２には、その挿入方向Ａ後端の左側角部に書込み保護用穴４４が穿設されている。
【００３４】
この技術分野で周知のように、フレキシブルディスクドライブによって駆動されるフレキシブルディスク４０において、磁気ヘッド１４でアクセスされる磁気記録媒体４１の表面上には、データを記録するための通路としての複数本のトラック（図示せず）が半径方向に沿って同心円状に形成されている。フレキシブルディスク４０のトラック本数は片面８０本であり、最外周トラック（最端トラック）ＴＲ００から最内周トラックＴＲ７９まである。
【００３５】
上述した構成によれば、フレキシブルディスク４０が薄型フレキシブルディスクドライブに挿入されていないときに、イジェクトレバー２５の回動動作を規制するように、図１に示されるように、ディスクシャッタアーム２６のフック部２６１ａは、イジェクトレバー２５の突起２５２ａと係合している。これにより、フレキシブルディスク４０が薄型フレキシブルディスクドライブ中に挿入されない限り、イジェクトレバー２５が所定の回転角度以上回動しないようにすることができる。換言すれば、薄型フレキシブルディスクドライブに衝撃が加わっても、イジェクトレバー２５の誤動作を防止することができる。
【００３６】
次に、図１乃至図６を参照して、フレキシブルディスク４０を薄型フレキシブルディスクドライブ内に挿入するときの動作と、薄型フレキシブルディスクドライブ内に挿入されているフレキシブルディスク４０をイジェクトするときの動作について説明する。最初に、フレキシブルディスク４０を挿入するときの動作について説明し、後でフレキシブルディスク４０をイジェクトするときの動作について説明する。
【００３７】
フレキシブルディスク４０を薄型フレキシブルディスクドライブ内に挿入する前では、イジェクトレバー２５およびディスクシャッタアーム２６は図１に示した状態の位置にある。すなわち、イジェクトレバー２５の突起２５２ａがディスクシャッタアーム２６のフック部２６１ａに係合している。この状態では、イジェクトプレート２１のストッパ部（図示せず）がイジェクトレバー２５の係止部２５３と係合している。
【００３８】
また、この状態では、ディスクホルダ２２のピン２２２及び２２３が、イジェクトプレート２１の案内溝（図示せず）内の上側にあり、ディスクホルダ２２は上昇した位置にある。この位置は、フレキシブルディスク４０を受け入れ可能な位置である。さらに、この状態では、キャリッジアセンブリ１５の側方アーム１５３がディスクホルダ２２の盛り上がり縁２２５に係合しており、上側磁気ヘッド１４は下側磁気ヘッドから離された上方の位置にある。
【００３９】
この状態において、ユーザがフレキシブルディスク４０を持って、その前縁をフロントパネル２７の扉に当てながら、正常な状態で挿入方向Ａに沿って、図２に示されるように、フレキシブルディスク４０を薄型フレキシブルディスクドライブ中に挿入していく。すると、図２に示されるように、フレキシブルディスク４０のシャッタ４３の右側上端縁４３ｂがディスクシャッタアーム２６のアームブッシュ２６２の先端部２６２ａと係合する。この時点（地点）から、ディスクシャッタアーム２６に装着されたシャッタアームバネ２６３の付勢力に抗して、さらにフレキシブルディスク４０を押し進めると、イジェクトシャッタアーム２６のアームブッシュ２６２は、開口部２２６内を、図４の矢印Ｄで示す時計回りに回動する。これに伴って、フレキシブルディスク４０のシャッタ４３は、バネ部材の付勢力に抗して摺動する。したがって、シャッタ４３により開口部４２ａを徐々に開けようとする。
【００４０】
そして、イジェクトシャッタアーム２６によりフレキシブルディスク４０のシャッタ４３が十分に開いて、ほぼフレキシブルディスク４０が薄型フレキシブルディスクドライブ中に完全に収容する直前に、フレキシブルディスク４０の前縁がイジェクトレバー２５の突起部２５２と係合する。このときには、ディスクシャッタアーム２６のフック部２６１ａによるイジェクトレバー２５の突起２５２ａに対する係合が解かれているので、イジェクトレバー２５は時計回りに回動可能な状態となっている。
【００４１】
さらにフレキシブルディスク４０を薄型フレキシブルディスクドライブ中へ押し進めると、イジェクトレバー２５がそれに装着されたイジェクトレバーバネに抗して、時計回りに回動し、イジェクトレバー２５の係止部２５３とイジェクトプレート２１のストッパ部との係合が解かれる。これにより、イジェクトプレート２１が前方（挿入方向Ａと逆方向）へ少しだけ摺動する。これは、イジェクトプレート２１がイジェクトバネ２４によって前方向へ付勢されているからである。
【００４２】
一方、イジェクトプレート２１が前方へ摺動することにより、ディスクホルダ２２が下降する。これは、ディスクホルダ２２の側壁２２１に形成されたピン２２２および２２３がイジェクトプレート２１の側壁に形成された案内溝内に挿通しているからである。
【００４３】
これにより、キャリッジアセンブリ１５の側方アーム１５３とディスクホルダ２２の盛り上がり縁２２５との係合が解かれ、キャリッジアセンブリ１５の上側キャリッジも下方へ落ちる。その結果、フレキシブルディスク４０の磁気記録媒体４１は、キャリッジアセンブリ１５の先端部に設けられた上下一対の磁気ヘッド１４で挟持される。またこのとき、イジェクトレバー２５のストッパ部２５５にディスクシャッタアーム２６のアームブッシュ２６２の突出部２６２ｂが係合するので、ディスクシャッタアーム２６が元の位置に復帰するのが阻止される。尚、イジェクトプレート２１が前方へ少しだけ摺動するので、イジェクトボタン２８もフロントパネル２７から前方へ少しだけ突出する。この状態が図３に示されている。
【００４４】
この後は、周知の方法により、磁気ヘッド１４によってフレキシブルディスク４０内の磁気記録媒体４１に対してデータの読み／書きを行うことができる。
【００４５】
次に、ディスクホルダ２２内に収容されているフレキシブルディスク４０をイジェクトする場合の動作について説明する。この場合、ユーザはイジェクトボタン２８を挿入方向Ａに後方へ押し込む。これにより、イジェクトプレート２１はメインフレーム１３上を挿入方向Ａに後方へ摺動してく。これとともに、ディスクホルダ２２のピン２２２および２２３がイジェクトプレート２１の案内溝に沿って移動することにより、ディスクホルダ２２が上昇する。これにより、キャリッジアセンブリ１５の一対の側方アーム１５３とディスクホルダ２２の盛り上がり部２２５とが係合し、ヘッドアセンブリ１５の先端部に支持された上下一対の磁気ヘッド１４がフレキシブルディスク４０内の磁気記録媒体４１から離れる。イジェクトボタン２８を挿入方向Ａに更に後方へ押し込むと、ディスクホルダ２２は所定の規定された上方位置に置かれると共に、イジェクトレバーバネの付勢力によって、イジェクトレバー２５が、反時計回りに回動する。
【００４６】
と同時に、イジェクトレバー２５のストッパ部２５５とディスクシャッタアーム２６のアームブッシュ２６２の突出部２６２ｂとの係合が解かれる。ディスクシャッタアーム２６は、シャッタアームバネ２６３の付勢力によって、図４の矢印Ｄと逆方向に反時計回りに回動する。これにより、ディスクホルダ２２内に収容されているフレキシブルディスク４０が挿入方向Ａと逆方向へ押し出され、フレキシブルディス４０は、薄型フレキシブルディスクドライブからイジェクトされる。この状態では、イジェクトレバー２５の係止部２５３がイジェクトプレート２１のストッパ部と係合するので、イジェクトプレート２１がフロントパネル２７側へ移動するのを阻止している。
【００４７】
上述したように、従来のフレキシブルディスクドライブでは、フレキシブルディスク４０の挿入・排出時に、フレキシブルディスク４０が下側磁気ヘッドと衝突するのを回避するために、それ専用の部品（イジェクトレバー２５に設けられた先端部２５４ａ）を設けて、下側磁気ヘッドを保護（すなわち、下側磁気ヘッドが引っ掛かったり破損するのを防止）している。尚、このような下側磁気ヘッドを保護する手段は上側磁気ヘッドガードと呼ばれる。
【００４８】
また、奥行き方向の寸法縮小化を実現したフレキシブルディスクドライブも提案されている（例えば、特許文献２参照）。この特許文献２に開示されているフレキシブルディスクドライブに於いては、ステッピングモータと送りネジとの組立て体を、フレキシブルディスクの挿入口とは反対側のメインフレームの奥部であって該メインフレームの左右の側縁の一方に隣接させて配置する。送りネジはメインフレームの左右の側縁の一方に平行に延在している。キャリッジアセンブリはメインフレームの主面に平行であって、送りネジに対して直角方向に延在している。
【００４９】
一方、フレキシブルディスクのシャッタに対してアームが確実に係合するようにしてシャッタの開閉動作を確実に行うことができるようにした「磁気ディスクのシャッタ駆動機構」も知られている（例えば、特許文献３参照）。また、フレキシブルディスクドライブの底面に設けたロアヘッドカードを単一の板バネにより形成して、部品テンスを削減し、コスト削減と装置の薄型化を図った「磁気ヘッドの保護装置」が知られている（例えば、特許文献４参照）。
【００５０】
さらに、フレキシブルディスクドライブの挿入口を下方へ傾斜させてイジェクト操作した場合などに、フレキシブルディスクが急激に排出させれてスライドシャッタが磁気ヘッドに衝突し、磁気ヘッドに損傷を与える事故を防止するようにしたフレキシブルディスクドライブも知られている（例えば、特許文献５参照）。特許文献５に開示されたフレキシブルディスクドライブでは、シャッタ開閉レバーの先端部にフックを設けている。このフックは、フレキシブルディスクのスライドシャッタの溝部内に挿入されるように形成されている。フレキシブルディスクをイジェクトする際は、シャッタ開閉レバーが所定の位置に戻るまでフックがスライドシャッタに係合しており、フレキシブルディスクは、シャッタ開閉レバーから離反しない。従って、シャッタ開閉レバーの戻る速度より早くフレキシブルディスクが排出方向へ移動することがなく、磁気ヘッドの近傍でスライドシャッタが閉じてシャッタ窓の縁部が磁気ヘッドに側方から衝突することが防止できる。
【００５１】
【特許文献１】特開２００１−２１６７０４号公報
【特許文献２】特開平８−２０３２２１号公報
【特許文献３】実用新案第２５９８６８６号公報
【特許文献４】実開平６−３８０５５号公報
【特許文献５】実開平５−５５３４４号公報
【発明の開示】
【発明が解決しようとする課題】
【００５２】
上述したように、先行技術における薄型フレキシブルディスクドライブでは、下側磁気ヘッドを保護するために専用の上側磁気ヘッドガード（ロアヘッドガード）が必要である。その為、部品点数が増えると共に、組立て工数も増えるという問題がある。尚、特許文献５では、フレキシブルディスクを排出するときに磁気ヘッドを保護するものであって、フレキシブルディスクを挿入する際に磁気ヘッドを保護することについては何ら開示していない。
【００５３】
それ故に、本発明の技術的課題は、部品点数を増やすことなく下側磁気ヘッドを保護することができる、フレキシブルディスクドライブを提供することにある。
【００５４】
本発明の他の技術的課題は、組立て工数を増やすことなく下側磁気ヘッドを保護することができる、フレキシブルディスクドライブを提供することにある。
【課題を解決するための手段】
【００５５】
本発明によれば、上側磁気ヘッド（１４ａ）及び下側磁気ヘッド（１４ｂ）と対向する部分にスライド可能なシャッタ（４３）を備えたフレキシブルディスク（４０）が挿入されるフレキシブルディスクドライブであって、前記フレキシブルディスクの挿入に伴って前記シャッタの角部（４３ｂ）に係合するアーム（２６Ａ）を持ち、回動することにより前記シャッタを開く方向に駆動するシャッタ駆動機構を備えたフレキシブルディスクドライブにおいて、前記シャッタ駆動機構は前記フレキシブルディスクを保持するディスクホルダ（２２Ａ）上に回動自在に取り付けられており、前記アームの先端近傍に前記アームと一体に形成されたストッパ（２６２Ａ−３）であって、前記フレキシブルディスクの挿入・排出時に前記下側磁気ヘッド（１４ｂ）との衝突を回避するように、前記フレキシブルディスクをその裏面から支える前記ストッパを備えたことを特徴とするフレキシブルディスクドライブが得られる。
【００５６】
上記フレキシブルディスクドライブにおいて、前記ストッパ（２６２Ａ−３）が樹脂製であることが好ましい。また、前記ストッパ（２６２Ａ−３）は、その先端に上方へ突出した突起部（２６２Ａ−３ａ）を持ち、前記フレキシブルディスク（４０）を線接触で支えることが望ましい。さらに、前記アーム（２６Ａ）は、前記フレキシブルディスクを前記フレキシブルディスクドライブからイジェクトするためのイジェクトレバーとしても働くものであって良い。
【００５７】
尚、上記括弧内の符号は、本発明の理解を容易にするために付したものであり、一例に過ぎず、これらに限定されるものではない。
【発明の効果】
【００５８】
本発明では、シャッタ駆動機構のアームの先端近傍にストッパを一体に形成し、このストッパによってフレキシブルディスクをその裏面から支えることにより、フレキシブルディスクの挿入・排出時に下側磁気ヘッドとの衝突を回避しているので、従来のような専用のヘッド保護構造部品を設ける必要がない。これにより、部品点数を削減できると共に、組立て工数も削減できる。また、ストッパを樹脂製とすることにより、フレキシブルディスクのシャッタに対して摺動しても、シャッタに傷をつけることがない。さらに、ストッパの先端に上方へ突出した突起部を設けることにより、フレキシブルディスクを面接触ではなく線接触で支えることができる。それにより、フレキシブルディスクとストッパとの間の負荷（摩擦）を小さくして、フレキシブルディスクをスムーズに動かすことが可能となる。また、アームをイジェクトレバーとしても動作させることにより、更に部品点数を削減することができる。
【発明を実施するための最良の形態】
【００５９】
以下、本発明の実施の形態について図面を参照して説明する。
【００６０】
図７は本発明の実施の形態による薄型フレキシブルディスクドライブのメインフレーム１３Ａを示す。図示のメインフレーム１３Ａは、図１乃至図３に示した従来の薄型フレキシブルディスクドライブのメインフレーム１３とは異なり、奥行方向の寸法が縮小されている。
【００６１】
メインフレーム１３Ａは幅寸法、奥行寸法と共に、フレキシブルディスク４０（図６）の幅寸法、奥行寸法に比べてやや大きめ（但し、＋１０ｍｍ以内）にされる。フレキシブルディスク４０は、矢印Ａで示す方向からフレキシブルディスクドライブ本体に挿入される。ステッピングモータ１６は、メインフレーム１３Ａの両側の側壁のうち左側の側壁に隣接して位置に、後部壁１３１の一部を利用して固定されている。
【００６２】
ステッピングモータ１６は所定の半径方向Ｂと平行に延在する回転軸（駆動軸）１６１を有し、この回転軸１６１には雄ネジが切られている。回転軸１６１の先端はメインフレーム１３Ａに切り起こしにより形成された支持部１３２ａにより回転可能に支持されている。この回転軸１６１には、磁気ヘッド（後述する）を搭載したキャリッジアセンブリ１５の一部が係合している。その結果、回転軸１６１の回転運動によってキャリッジアセンブリ１５がフレキシブルディスク４０の所定の半径方向Ｂに沿って移動する。メインフレーム１３Ａにはまた、切り起こしにより形成された２つの支持部１３３ａ（図７では１つのみ図示する）によりガイドバー１７が回転軸１６１と平行に延在するように固定されている。
【００６３】
図７に加えて図８をも参照して、キャリッジアセンブリ１５と回転軸１６１とガイドバー１７との関係について説明する。
【００６４】
キャリッジアセンブリ１５は、上側キャリッジ１５Ｕと、下側キャリッジ１５Ｌとを備える。上側キャリッジ１５Ｕ、下側キャリッジ１５Ｌの一方の先端部の一方の先端部にはそれぞれ、上側磁気ヘッド１４ａ、下側磁気ヘッド１４ｂが取り付けられている。上側キャリッジ１５Ｕは図中、上方に開くことができる。フレキシブルディスク４０は、上側キャリッジ１５Ｕが開いている状態の時に、上側キャリッジ１５Ｕと下側キャリッジ１５Ｌとの間に挿入される。挿入後、各磁気ヘッド１４ａ、１４ｂは、フレキシブルディスク４０の磁気記録媒体４１に近接するように、閉じた状態になる。
【００６５】
上側キャリッジ１５Ｕは板状のアームによって構成されている。他方、下側キャリッジ１５Ｌは、下側磁気ヘッド１４ｂを支持する平面板１５Ｌ−１と、下側磁気ヘッド１４ｂと反対側の端部に設けられた突出部１５Ｌ−２とを備える。この突出部１５Ｌ−２は、上側キャリッジ１５Ｕに金属製の連結板１５Ｕ−１を介して連結された突出部１５Ｕ−２と組み合わされている。突出部１５Ｕ−２は、下側キャリッジ１５Ｌ−１と共に固定されている。上側キャリッジ１５Ｕは、図８の右方向に突出したバネ取付部１５Ｕ−３を備えている。バネ取付部１５Ｕ−３からは、棒状のバネ支持部１５Ｕ−４が図の前方に突き出ている。バネ支持部１５Ｕ−４には上側キャリッジ１５Ｕを図中下方に付勢するためのバネ１５Ｕ−５が取り付けられている。
【００６６】
連結板１５Ｕ−１は、２本のネジで突出部１５Ｕ−２の上面に取り付けられた押さえ板１５Ｕ−６で固定されている。１５Ｕ−７は、押さえ板１５Ｕ−６を位置決めするためのピンである。
【００６７】
上側キャリッジ１５Ｕは、フレキシブルディスク４０の挿入前は後述するディスクホルダにより上方に開くようにされている。フレキシブルディスク４０が挿入されると、ディスクホルダは下動し、その結果、上側キャリッジ１５Ｕはバネ１５Ｕ−５により下方に閉じて上側磁気ヘッド１４ａがフレキシブルディスク４４０の磁気記録媒体４１に近接する。フレキシブルディスク４０がイジェクトされると、上側キャリッジ１５Ｕは上動するディスクホルダにより上方に開かれた状態に維持される。
【００６８】
上側キャリッジ１５Ｕの突出部１５Ｕ−２と下側キャリッジ１５Ｌの突出部１５Ｌ−２との間には空間ができるようにされており、この空間に回転軸１６１が挿通されている。しかも、この空間には、回転軸１６１の谷の部分に係合された金属部材（図示せず）が設けられている。このように、キャリッジアセンブリ１５は、回転軸１６１の回転によってその軸方向に移動する。
【００６９】
また、下側キャリッジ１５Ｌの中間部には、回転軸１６１と平行に肉厚部１５Ｌ−３が設けられている。この肉厚部１５Ｌ−３に設けられた貫通穴にガイドバー１７が摺動自在に挿通されている。これによって、ガイドバー１７はキャリッジアセンブリ１５の移動を案内する。尚、肉厚部１５Ｌ−３の突出部分がメインフレーム１３Ａに接触してキャリッジアセンブリ１５の移動を妨げないように、肉厚部１５ｌ−３の移動範囲に対応するメインフレーム１３Ａには打ち抜き穴１３４ａ（図７）が形成されている。これはまた、肉厚部１５Ｌ−３の突出部分によってフレキシブルディスクドライブの上下方向（厚さ方向）の寸法が大きくなることを防いでいる。
【００７０】
尚、図７から明らかなように、ディスクテーブル１１の中心は、フレキシブルディスクドライブの奥行方向に関する中心線から図中右方向にずれている。このようにして、メインフレーム１３Ａの左側の側縁とフレキシブルディスク４０の左側の側縁との間にできる僅かなスペースを利用して、ステッピングモータ１６の回転軸１６１を配置している。
【００７１】
図９及び図１０は、図７に図示したメインフレーム１３Ａと組み合わされる、イジェクトベース２３Ａとイジェクトプレート２１Ａとディスクホルダ２２Ａとを組み付けた組付け体を示す図である。図９は組付け体の平面図、図１０は組付け体の底面図である。
【００７２】
メインフレーム１３Ａ、イジェクトプレート２１Ａ、ディスクホルダ２２Ａ、及びイジェクトベース２３Ａは、金属板に打抜き加工、プレス加工、曲げ加工等を施すことにより形成される。
【００７３】
イジェクトプレート２１Ａは、メインフレーム１３Ａの上方であって、イジェクトベース２３Ａの内側に組み付けられる。イジェクトプレート２１Ａは、フレキシブルディスク４０の挿入方向Ａおよびその逆方向（すなわち、前後方向）に沿って摺動自在なように、メインフレーム１３Ａ上に備えられる。ディスクホルダ２２Ａは、メインフレーム１３Ａの上方であって、イジェクトプレート２１Ａの内側に組み付けされる。イジェクトベース２３Ａは、メインフレーム１３Ａの両側の側板の上端に取り付けられる。この取付けは、メインフレーム１３Ａの側板の上端に折曲加工等によりねじ止め部１３５（図７）を形成することにより、このねじ止め部１３５にイジェクトベース２３Ａをねじ止めして行う。
【００７４】
図１０から明らかなように、ディスクホルダ２２Ａとイジェクトプレート２１Ａとの間にイジェクトバネ２４が架設されている。ディスクシャッタアーム２６Ａはディスクホルダ２２Ａに回動自在に取り付けられている。このディスクシャッタアーム２６Ａは、従来のディスクシャッタアーム２６とは異なり、イジェクトレバーとしても動作すると共に、更に、後述するようにヘッド保護構造としても動作する。したがって、ディスクシャッタアーム２６Ａは、ここでは、イジェクトアームとも呼ばれる。
【００７５】
このディスクシャッタアーム（イジェクトアーム）２６Ａは、シャッタアームバネ２６３によって反時計回りに付勢されている（但し、図１０は底面図なので、図１０においては、シャッタアームバネ２６３は時計回りに付勢されている）。シャッタアームバネ２６３は、ディスクシャッタアーム２６Ａとディスクホルダ２２Ａとの間に架設されている。ディスクシャッタアーム２６Ａについては、後で図面を参照して詳述する。ディスクシャッタアーム２６Ａとシャッタアームバネ２６３との組合せは、回動することによりフレキシブルディスク４０のシャッタ４３を開く方向に駆動するシャッタ駆動機構として働く。
【００７６】
尚、本実施の形態に係る薄型フレキシブルディスクドライブにおいては、スライド機構（図示せず）がイジェクトプレート２１Ａおよびイジェクトベース２３Ａの両側の側板に設けられ、イジェクトバネ２４がディスクホルダ２２Ａとイジェクトプレート２１Ａとの間に架設されているので、図１１に示されるように、イジェクトベース２３Ａは、キャリッジアセンブリ１５の移動範囲を除いて、イジェクトプレート２１Ａを覆う上カバーとしても使用される。
【００７７】
次に、図１２を参照して、ディスクホルダ２２Ａについて説明する。図１２において、（Ａ）はディスクホルダ２２Ａの平面図、（Ｂ）はディスクホルダ２２Ａの左側面図、（Ｃ）はディスクホルダ２２Ａの右側面図、（Ｄ）はディスクホルダ２２Ａの底面図である。
【００７８】
ディスクホルダ２２Ａは、主表面２２０と、この主表面の両端側で互いに対向した一対の側板２２１とを有する。この側板２２１の先端は直角に内方へ折曲加工されている。両側板２２１の各々には、一対のピン２２２および２２３が設けられている。このピン２２２および２２３は、イジェクトプレート２１の側板に形成された案内溝（図示せず）内に挿通される。更に、両側板２２１の各々には、イジェクトベース２３Ａのピン規制溝（図示せず）に挿通する１つのピン２２８が設けられている。
【００７９】
また、ディスクホルダ２２Ａは、その挿入方向Ａの奥側中央左よりに、所定の半径方向Ｂに延在した略矩形状の開口部２２４Ａが設けられている。この開口部２２４Ａとディスクホルダ２２Ａの左側縁との間には、ディスクホルダ２２Ａから上方に盛り上がった、矢印Ｂ方向に延在する盛り上がり部２２５Ａが形成されている。
【００８０】
フレキシブルディスク４０がディスクホルダ２２Ａからイジェクトされた状態では、キャリッジアセンブリ１５の上側キャリッジ１５Ｕが盛り上がり部２２５Ａと係合し、これによって上下一対の磁気ヘッド１４ａ、１４ｂ同士が互いに離される。さらに、ディスクホルダ２２Ａは、その挿入方向Ａの奥側で開口部２２４Ａから右よりに、後述するイジェクトレバー（ディスクシャッタアーム）２６Ａのレバーブッシュ２６２Ａの回動を許すような約１／４リング形状の開口部２２６Ａも有している。尚、ディスクホルダ２２Ａの右上角部２２７Ａに、図１０に示されるように、後述するイジェクトレバー（ディスクシャッタアーム）２６Ａが回動自在に取り付けられる。
【００８１】
図１３に示されるように、イジェクトレバー２６Ａは、ディスクホルダ２２Ａの右上角部２２７Ａから径方向に延在するアーム部（レバー部）２６１Ａと、このアーム部２６１Ａの先端部に取り付けられるレバーブッシュ２６２Ａとを有する。
【００８２】
図１４にアーム部２６１Ａの構成を示し、図１５にレバーブッシュ２６２Ａの構成を示す。図１４において、（Ａ）はアーム部２６１Ａの正面図、（Ｂ）はアーム部２６１Ａの正面図、（Ｃ）はアーム部２６１Ａの左側面図である。図１５において、（Ａ）はレバーブッシュ２６２Ａの平面図、（Ｂ）はレバーブッシュ２６２Ａの正面図である。
【００８３】
図１４に示されるように、アーム部２６１Ａは、イジェクトベース２３Ａの挿入方向Ａの奥側端部で直角に下方に折り曲げられたストッパ部２３Ａ−１と係合する係止部２６１Ａ−１を持つ。この係止部２６１Ａ−１は、アーム部２６１Ａの回動軸２６１Ａ−０から所定半径上で円周方向へ延在する円弧縁２６１Ａ−１ａと、回転軸２６１Ａ−０に向かって半径方向に延在する半径縁２６１Ａ−１ｂとを持つ。アーム部２６１Ａは、更に、その先端で直角に下方に折り曲げられた舌片部２６１Ａ−２を持つ。この舌片部２６１Ａ−２は、後述するレバーブッシュ２６２Ａの開口部に挿入される。
【００８４】
図１５を参照して、レバーブッシュ２６２Ａは樹脂製で構成されている。レバーブッシュ２６２Ａは、図１５（Ａ）に示されるように、上記アーム部２６１Ａの舌片部２６１Ａ−２が挿入される開口部２６２Ａ−１を持つ。レバーブッシュ２６２Ａは、また、フレキシブルディスク４０のシャッタ４３の右側上端縁４３ｂと係合する係合片２６２Ａ−２を持つ。
【００８５】
レバーブッシュ２６２Ａは、更に、フレキシブルディスク４０が本薄型フレキシブルディスクドライブに挿入されるときに、そのフレキシブルディスク４０の先端部（前縁）を受けるメディア受け部（ストッパ）２６２Ａ−３を有する。すなわち、このストッパ２６２Ａ−３は、フレキシブルディスク４０の挿入・排出時に下側磁気ヘッド１４ｂとの衝突を回避するように、フレキシブルディスク４０をその裏面から支えるものである。また、ストッパ２６２Ａ−３は、その先端に上方へ突出した突起部２６２Ａ−３ａを持つ。この突起部２６２Ａ−３ａは、フレキシブルディスク４０を面接触でなく線接触で支えるためのものである。
【００８６】
図１６にアーム部２６１Ａとレバーブッシュ２６２Ａとを組み付けた状態のイジェクトレバー２６Ａを示す。図１６は、本薄型フレキシブルディスクドライブに挿入されるフレキシブルディスク４０と、キャリッジアセンブリ１５の下側キャリッジ１５Ｌの先端部に取り付けられる下側磁気ヘッド１４ｂとの位置関係をも図示している。フレキシブルディスク４０が本薄型フレキシブルディスクドライブ中に挿入されると、そのフレキシブルディスク４０はレバーブッシュ２６２Ａのストッパ２６２Ａ−３によってその裏面で受け止められるので、フレキシブルディスク４０の裏面は常に下側磁気ヘッド２４ｂの先端よりも上方に維持される。それにより、フレキシブルディスク４０の挿入・排出時に、フレキシブルディスク４０が下側磁気ヘッド１４ｂに引っ掛かったり、下側磁気ヘッド１４ｂと衝突するのを防止することができるので、下側磁気ヘッド１４ｂを保護することができる。換言すれば、イジェクトレバー２６Ａのレバーブッシュ２６２Ａは、フレキシブルディスク４０の挿抜に連動して、常に下側磁気ヘッド１４ｂを保護することができる。その結果、従来のような専用のロアヘッドガードを設ける必要がないので、構成が簡素化され、コストを削減することができる。
【００８７】
次に、図１０に加えて図１７および図１８をも参照して、フレキシブルディスク４０を薄型フレキシブルディスクドライブ内に挿入するときの動作と、薄型フレキシブルディスクドライブ内に挿入されているフレキシブルディスク４０をイジェクト（排出）するときの動作について説明する。最初に、フレキシブルディスク４０を挿入するときの動作について説明し、その後で、フレキシブルディスク４０をイジェクトする場合の動作について説明する。
【００８８】
図１７はフレキシブルディスク４０が薄型フレキシブルディスクドライブ内に挿入途中の状態における、組付け体とフレキシブルディスク４０との配置関係を示す底面図である。図１８はフレキシブルディスク４０が薄型フレキシブルディスクドライブ内に完全に収容された状態における、組付け体とフレキシブルディスク４０との配置関係を示す底面図である。
【００８９】
図１０に示されるように、フレキシブルディスク４０を薄型フレキシブルディスクドライブ内に挿入する前では、イジェクトベース２３Ａのストッパ部２３Ａ−１の内壁にイジェクトレバー２６Ａの係止部２６１Ａ−１の円弧縁１６１Ａ−１ａが係合している。このとき、ディスクホルダ２２Ａは上昇した位置にあり、フレキシブルディスク４０を受け入れ可能な状態にある。さらに、この状態では、キャリッジアセンブリ１５の上側キャリッジ１５Ｕがディスクホルダ２２Ａの盛り上がり部２２５Ａに係合しており、上側磁気ヘッド１４ａは下側磁気ヘッド１４ｂから離された上方の位置にある。
【００９０】
この状態において、図１７に示されるように、ユーザがフレキシブルディスク４０を持って、その前縁をフロントパネル（図示せず）の扉に当てながら、正常な状態で矢印Ａに示す挿入方向に沿って、フレキシブルディスク４０を薄型フレキシブルディスクドライブ中に挿入していく。そのとき、フレキシブルディスク４０の前縁部は、イジェクトレバー２６Ａのストッパ２６２Ａ−３によってその裏面で受け止められる。その直後、フレキシブルディスク４０のシャッタ４３の右側上端縁４３ｂ（図１７は底面図なので、図１７では左側上端縁である）がイジェクトレバー２６Ａの係合片２６２Ａ−２と係合する。
【００９１】
この時点（地点）から、イジェクトレバー２６Ａに装着されたシャッタアームバネ２６３に付勢力に抗して、さらにフレキシブルディスク４０を押し進めると、イジェクトレバー２６Ａは、開口部２２６Ａ内を、図１７の矢印Ｄで示す時計回り（図１７は底面図なので、図１７では反時計回り）に回転する。これに伴って、フレキシブルディスク４０のシャッタ４３は、バネ部材の付勢力に抗して、図６の矢印Ｃで示す方向に摺動する。したがって、シャッタ４３の摺動により開口部４２ａを徐々に開けようとする。
【００９２】
そして、図１８に示されるように、イジェクトレバー２６Ａによりフレキシブルディスク４０のシャッタ４３が十分に開いて、ほぼフレキシブルディスク４０が薄型フレキシブルディスクドライブ中に完全に収容される直前に、イジェクトレバー２６Ａの係止部２６１Ａ−１の円弧縁２６１−１ａとイジェクトベース２３Ａのストッパ部２３Ａ−１の内壁との係合が解かれる。これにより、イジェクトプレート２１Ａが前方（挿入方向Ａと逆方向）へ少しだけ摺動する。これは、イジェクトプレート２１Ａがイジェクトバネ２４によって前方へ常に付勢されているからである。
【００９３】
一方、イジェクトプレート２１Ａが前方へ摺動することにより、ディスクホルダ２２Ａが下降する。これは、ディスクホルダ２２Ａの側板２２１に形成されたピン２２２および２２３がイジェクトプレート２１Ａの側板に形成された案内溝内に挿通しているからである。
【００９４】
これにより、キャリッジアセンブリ１５の上側キャリッジ１５Ｕとディスクホルダ２２Ａの盛り上がり部２２５Ａとの係合が解かれ、キャリッジアセンブリ１５の上側キャリッジ１５Ｕは下方へ落ちる。その結果、フレキシブルディスク４０の磁気記録媒体４１はキャリッジアセンブリ１５の先端部に取り付けられた上下一対の磁気ヘッド１４ａ，１４ｂで挟持される。またこのとき、図１８に示されるように、イジェクトベース２３Ａのストッパ部２３Ａ−１の側縁にイジェクトレバー２６Ａの係止部２６１Ａ−１の半径縁２６１Ａ−１ｂが係合するので、イジェクトレバー２６Ａが元の位置に復帰するのが阻止される。尚、イジェクトプレート２１Ａが前方へ少しだけ摺動するので、イジェクトボタン（図示せず）もフロントパネル（図示せず）から前方へ少しだけ突出する。
【００９５】
この後は、周知の方法により、磁気ヘッド１４ａ、１４ｂによってフレキシブルディスク４０の磁気記録媒体４１に対してデータの読み／書きを行うことができる。
【００９６】
次に、ディスクホルダ２２Ａ内に収容されているフレキシブルディスク４０をイジェクトする場合の動作について説明する。
【００９７】
この場合、ユーザは、イジェクトボタンを挿入方向Ａに後方へ押し込む。これにより、イジェクトプレート２１Ａはイジェクトベース２３Ａ上を挿入方向Ａに後方へ摺動していく。これと共に、ディスクホルダ２２Ａのピン２２２および２２３がイジェクトプレート２１Ａの案内溝に沿って移動することにより、ディスクホルダ２２Ａが上昇する。これにより、キャリッジアセンブリ１５の上側キャリッジ１５Ｕとディスクホルダ２２Ａの盛り上がり部２２５Ａとが係合し、キャリッジアセンブリ１５の先端部に支持された上下一対の磁気ヘッド１４ａ、１４ｂがフレキシブルディスク４０の磁気記録媒体４１から離れる。イジェクトボタンを挿入方向Ａに更に後方へ押し込むと、ディスクホルダ２２Ａは所定の規定された上方位置に置かれる。
【００９８】
と同時に、イジェクトベース２３Ａのストッパ部２３Ａ−１の側縁とイジェクトレバー２６Ａの係止部２６１Ａ−１の半径縁２６１Ａ−１ｂとの間の係合が解かれ、イジェクトレバー２６Ａは、シャッタアームバネ２６３の付勢力によって、図１７の矢印Ｄと逆方向の反時計回り（但し、図１７は底面図なので、図１７では時計回り）に回転する。これにより、ディスクホルダ２２Ａ内に収容されているフレキシブルディスク４０が挿入方向Ａと逆方向へ押し出され、フレキシブルディスク４０は薄型フレキシブルディスクドライブからイジェクト（排出）される。この状態では、図１７に示されるように、イジェクトレバー２６Ａの係止部２６１Ａ−１の円弧縁２６１Ａ−１ａがイジェクトベース２３Ａのストッパ部２３Ａ−１の内壁と係合するので、イジェクトプレート２１Ａがフロントパネル側へ移動することが阻止される。
【００９９】
本発明では、図１７および図１８を参照して説明したように、フレキシブルディスク４０が薄型フレキシブルディスクドライブ中に挿入途中から完全に収容される間、常にフレキシブルディスク４０の前縁がイジェクトレバー２６Ａに一体に設けられたストッパ２６２Ａ−３によって裏面側から受け止められる。従って、上述したように、フレキシブルディスク４０の挿抜に連動して常に下側磁気ヘッド１４ｂを保護することができる。
【０１００】
また、レバーブッシュ２６２Ａは樹脂製なので、このレバーブッシュ２６２Ａがフレキシブルディスク４０のシャッタ４３上を摺動する際にも、シャッタ４３を傷つけることはない。また、ストッパ２６２Ａ−３によってフレキシブルディスク４０の前縁を受け止める際、フレキシブルディスク４０はストッパ２６２Ａ−３の突起部２６２Ａ−３ａ上で支えられる。すなわち、この突起部２６２Ａ−３ａによって、フレキシブルディスク４０は面接触でなく線接触で支えられる。その結果、フレキシブルディスク４０とストッパ２６２Ａとの間の負荷（摩擦）を小さくすることができ、フレキシブルディスク４０をスムーズに動かすことができる。
【０１０１】
本発明は上述した実施の形態に限定されず、本発明の趣旨を逸脱しない範囲内で種々の変更・変形が可能なのは勿論である。例えば、上述した実施の形態では、ステッピングモータの回転軸（送りネジ）をメインフレームの左右の側縁の一方に延在させ、キャリッジアセンブリを回転軸に対して直角方向へ延在させて奥行方向の寸法縮小化を図った薄型フレキシブルディスクドライブに適用した場合について述べているが、キャリッジアセンブリをステッピングモータの回転軸に対して平行に延在させた薄型フレキシブルディスクドライブにも同様に適用可能なのはいうまでも無い。
【図面の簡単な説明】
【０１０２】
【図１】先行技術における薄型フレキシブルディスクドライブの構成を示す平面図である。
【図２】図１の薄型フレキシブルディスクドライブにおいてフレキシブルディスクが挿入された途中の状態を示す平面図である。
【図３】図１の薄型フレキシブルディスクドライブにおいてフレキシブルディスクが完全に収容された状態を示す平面図である。
【図４】図１の薄型フレキシブルディスクドライブに使用されるディスクホルダアセンブリの構成を示す平面図である。
【図５】図１の薄型フレキシブルディスクドライブに使用されるイジェクトレバーの構造を示す図で、（Ａ）は平面図、（Ｂ）は右側面図、（Ｃ）は背面図である。
【図６】図１の薄型フレキシブルディスクドライブで駆動されるフレキシブルディスクを示す平面図である。
【図７】本発明の一実施の形態に係る薄型フレキシブルディスクドライブの要部を示す平面図である。
【図８】図７に示した薄型フレキシブルディスクドライブに用いられるキャリッジアセンブリを示す斜視図である。
【図９】図７に図示したメインフレームと組み合わされる、イジェクトベースとイジェクトプレートとディスクホルダとを組み付けた組付け体を示す平面図である。
【図１０】図９の組付け体の底面図である。
【図１１】図７に図示したメインフレームに図９に図示した組付け体を組み合わせた状態を示す平面図である。
【図１２】図７に示した薄型フレキシブルディスクドライブに用いられるディスクホルダを示す図で、（Ａ）は平面図、（Ｂ）は左側面図、（Ｃ）は右側面図、（Ｄ）は底面図である。
【図１３】図７に示した薄型フレキシブルディスクドライブに用いられるイジェクトレバーを、フレキシブルディスクが挿入された状態で示す平面図である。
【図１４】図１３に示したイジェクトレバーを構成するアーム部を示す図で、（Ａ）は平面図、（Ｂ）は正面図、（Ｃ）は左側面図である。
【図１５】図１３に示したイジェクトレバーを構成するレバーブッシュを示す図で、（Ａ）は平面図、（Ｂ）は正面図である。
【図１６】図１４に示したアーム部と図１５に示したレバーブッシュとを組み付けた状態のイジェクトレバーを、図７に示す薄型フレキシブルディスクドライブに挿入されるフレキシブルディスクと、キャリッジアセンブリの下側キャリッジの先端部に取り付けられる下側磁気ヘッドとの位置関係と共に示した左側面図である。
【図１７】フレキシブルディスクが図７に示す薄型フレキシブルディスクドライブ内に挿入途中の状態における、組付け体とフレキシブルディスクとの配置関係を示す底面図である。
【図１８】フレキシブルディスクが図７に示す薄型フレキシブルディスクドライブ内に完全に収容された状態における、組付け体とフレキシブルディスクとの配置関係を示す底面図である。
【符号の説明】
【０１０３】
１４ａ    上側磁気ヘッド
１４ｂ    下側磁気ヘッド
２２Ａ    ディスクホルダ
２６Ａ    ディスクシャッタアーム（イジェクトアーム）
２６２Ａ−３    ストッパ
２６２Ａ−３ａ    突起部
４０    フレキシブルディスク
４３    シャッタ
４３ｂ    シャッタの角部
【図１】
2006040434.tif 000003
【図２】
2006040434.tif 000004
【図３】
2006040434.tif 000005
【図４】
2006040434.tif 000006
【図５】
2006040434.tif 000007
【図６】
2006040434.tif 000008
【図７】
2006040434.tif 000009
【図８】
2006040434.tif 000010
【図９】
2006040434.tif 000011
【図１０】
2006040434.tif 000012
【図１１】
2006040434.tif 000013
【図１２】
2006040434.tif 000014
【図１３】
2006040434.tif 000015
【図１４】
2006040434.tif 000016
【図１５】
2006040434.tif 000017
【図１６】
2006040434.tif 000018
【図１７】
2006040434.tif 000019
【図１８】
2006040434.tif 000020